(57)【要約】      （修正有）【課題】従来は複数の共同作業で行われていた取り付けを単独でスピーディーにワンタッチで仮留装脱着することが出来る型枠治具の提供。【解決手段】既設躯体と内設するＨ形状の補強用鉄骨フレームの接続する空隙部に充填材を注入充填することにより補強一体化を図る耐震補強工事における略Ｊ形の型枠治具１１であって、長短各部材の対向する内面の切欠溝１６にライナーピン１５を左右双方向より任意の本数を係着することにより型枠に対する拘束力を縦軸点接触から横軸面接触へと拡大することにより耐力の増強がはかられるとともに構成素材の軽量化によってワンタッチでスピーディーに、かつ単独で装脱着できる耐震充填モルタル型枠の拘束治具。【選択図】        図３
2007002635.tif 000002
【特許請求の範囲】
【請求項１】
Ｈ形状の鉄骨フレームと既設躯体の接続する空隙部に充填材を注入する際の注入充填材の流出を遮蔽する合板型枠を鉄骨フレーム外面に取り付け、注入孔より充填する充填材の自重圧、および注入圧に対する耐力を高めるために鉄骨フレームと合板型枠の間に挿入係着する耐震充填モルタル型枠の拘束治具。
【請求項２】
前記の型枠枸束治具は、平行する長辺拘束部材と短辺支持部材の板状体が下端部で連結された略Ｊ形の成形品からなり、長短各部材の対向する内面に長さ方向と直角に切欠溝が複数個設けられている本体構造及び前記切欠溝に挿入するライナーピンからなることを特徴とする耐震充填モルタル型枠の拘束治具。
【請求項３】
前記本体構造およびライナーピンが強化された合成樹脂で構成される請求項２記述の耐震充填モルタル型枠の拘束治具。
【発明の詳細な説明】
【技術分野】
【０００１】本発明は耐震補強工事における既設躯体と補強のために増設されたＨ形状の鉄骨フレームと接続する外周空隙部に充填材を注入充填し、接着と一体化を図るために鉄骨フレーム外面に合板型枠を取り付け注入孔より充填する充填材の流出を遮蔽するための型枠を拘束し、充填材の自重圧および注入圧に対する拘束耐力を強化するための耐震充填モルタル型枠の拘束治具に関するものである。
【背景技術】
【０００２】上記工事における従来の型枠の取付方法としては図１に示すように補強用鉄骨フレーム１の外面に充填材の流出を遮蔽するための合板型枠２を取付けて、その型枠は複数本のＰコン３とセパレーター４と桟木５と単管パイプ６を介してフォームタイ７という締付治具で拘束する方法が一般的に採られてきた。【０００３】こうような従来方法における型枠の固定方式に改良を加えた固定金具による拘束工材が提案されている。この拘束工材は図２に示すとおり、補強用鉄骨フレーム１と型枠２の間に型枠拘束基材８を挟み込み、クリップ９の打ち込みによるパッキン１０の拘束力によって構成されている。【０００４】    『特許文献』特開２００１−１８２３３６号公報
【発明の開示】
【発明が解決しようとする課題】
【０００５】前記の数種類の部材で構成される在来方式による型枠の拘束は煩雑で、施工性に問題がある。【０００６】また特開２００１−１８２３３６号公報に記載された拘束工材では重量物治具のため、運搬移動性に問題があり、かつ拘束のためのクリップの打ち込み角度が単一方向と限定的である。【０００７】本発明は、上述の問題に鑑みてなされたものであり、略Ｊ形本体の切欠溝にライナーピンを左右双方向に、かつ任意の本数を係着することができるため型枠の拘束力は高まり充填時における注入圧力や自重圧力による合板型枠の破損や変形、および歪みの起らない堅固な型枠を提供することができる。【０００８】しかも従来は複数の共同作業で行われていた型枠治具の取り付けは、単独でスピーディーにワンタッチで仮留装脱着することが出来る。
【課題を解決するための手段】
【０００９】本発明は、Ｈ形状の鉄骨フレームと既設躯体との接続する空隙部に充填材を注入する際の注入充填材の流出を遮蔽する合板型枠を鉄骨フレーム外面に取り付け、注入孔より充填する充填材の自重圧および注入圧に対する耐力を強化するため鉄骨フレームと合板型枠の間に挿入係着する耐震充填モルタル型枠の拘束治具が提供される。【００１０】また、本発明によれば、平行する長辺拘束部材と短辺支持部材の板状体が下端部で連結された略Ｊ形の成形品からなり、長短各部材の対向する内面の長さ方向と直角に切欠溝が複数個設けられている本体構造および前記切欠溝に挿入するライナーピンからなる耐震充填モルタル型枠の拘束治具が提供される。【００１１】さらに本発明によって、前記本体構造およびライナーピンが強化された合成樹脂で構成される耐震充填モルタル型枠の拘束治具が提供される。
【発明の効果】
【００１２】本発明の耐震補強工事における型枠補強工材の拘束治具は、鉄骨フレームとその外面に取り付けられた合板型枠に対して、ワンタッチでスピーディーに、しかも単独で仮留装着が出来るとともに、略Ｊ形本体に形成された切欠溝にライナーピンを左右双方向に、且つ任意の本数を係着することが出来るため、型枠拘束力が増強される。このため、本発明の型枠拘束治具は、従来の工法および拘束治具よりも強固であり、充填材の自重圧や注入圧に対して破損や変形および歪みが起こらない堅個な型枠を提供することができる。【００１３】また従来の工法でおこなわれていたような複数の治具部材は省略され、且つ構成素材の軽量化によって作業性が良好になる特徴を有するものであり、本発明の実施後の効果は極めて大きい。【００１４】さらに誰でも容易に簡単に装脱着できるために、工期を短縮することができ、外業種と同時併行作業ができる利点を持ちあわせている。
【発明を実施するための最良の形態】
【００１５】以下本発明の実施例を図３乃至図５に基づいて説明する。【００１６】図３は本発明の耐震充填モルタル型枠の拘束治具の概略図であり、本体構造１１は長辺拘束部材１２と、これと平行する短辺支持部材１３が下端部１４で連結されている略Ｊ字形状をしている。【００１７】長辺拘束部材１２と短辺支持部材１３との対向する内面にライナーピン１５を挿入係着するための切欠溝１６が長さ方向と直角に複数個設けられている。【００１８】平行する長短部材１２、１３の内矩１７の寸法は鉄骨フレーム１と合板型枠２の厚さの基準値の総和であり、定間隔に設定されているために本体構造１１を鉄骨フレーム１と合板型枠２の間に挿入することにより仮留めによる点接触すなわち縦軸拘束力が保持される。【００１９】さらに長短各部材１２、１３に内設された切欠溝１６にライナーピン１５を左右双方向より打ち込み係着することにより面接触すなわち横軸拘束力が発現されるため、型枠の対充填材に対する耐力は著しく強化される。【００２０】本体構造における切欠溝１６の個数については特別の制限はないが、上述した横軸拘束力を充分に発現させるために、長辺拘束部材１２には、２個以上、短辺支持部材１３には１個以上設けることが望ましい。【００２１】本体構造１１およびライナーピン１５の材質については特別の制限はないが作業性を良好にするとともに、安全性を確保するために、強化された合成樹脂であることが望ましい。例えばガラス繊維、炭素繊維のような繊維、あるいはタルク、シリカのような無機質充填材で強化されたポリエチレン、ポリプロピレンのような、ポリオレフィン樹脂が好ましく使用される。【００２２】図４は耐震補強工事における型枠取付工法と充填工法の状況を示した概略断面図である。既設躯体１８に補強用鉄骨フレーム１を増設し、これと接続する空隙部１９に充填材を注入する際に充填材の流出を遮蔽する合板型枠２を取り付け、かつ、本発明に係る本体構造１１を装着する。空隙部１９に充填材が透明ビニールホース２０を介して注入される。電動ポンプの連続注入によって空隙部１９が順次充填され、既設躯体の下端部に設置された空気孔用ビニールホース２１より充填材がオーバーフローしたのを目視、確認したうえでホースバンドで閉栓して注入が終了となる。【００２３】図５が本体構造１１の切欠溝１６にライナーピン１５を左右双方向より挿入して鉄骨フレーム１と合板型枠２を強固に拘束を示した展開図である。
【図面の簡単な説明】
【００２４】
【図１】従来工法における型枠拘束断面図
【図２】改良型打込クリップ拘束断面図
【図３】本発明の型枠拘束治具本体とライナーピン
【図４】耐震補強工事に於ける型枠取付と充填工法断面図
【図５】ライナーピン係着要領図
【符号の説明】
【００２５】１    補強用鉄骨フレーム
２    合板型枠
３    Ｐコン
４    セパレーター
５    桟木
６    単管パイプ
７    フォームタイ
８    型枠基材
９    クリップ
１０  パッキン
１１  本体構造
１２  長辺拘束部材
１３  短辺支持部材
１４  下端連結部材
１５  ライナーピン
１６  切欠溝
１７  定間内矩
１８  既設躯体
１９  空隙部
２０  注入孔用ビニールホース
２１  空気孔用ビニールホース
【図１】
2007002635.tif 000003
【図２】
2007002635.tif 000004
【図３】
2007002635.tif 000005
【図４】
2007002635.tif 000006
【図５】
2007002635.tif 000007